(57)【要約】把持可能な取手（３）、ならびに互いから間隔を置いて配置される自由端部（４”）およびデンタルフロス（５）を有する２本のロッド（４）を備えた、デンタルフロスフォーク（２）を含む歯の手入れをする道具であって、デンタルフロス（５）は、デンタルフロスフォーク（２）の２本のロッド（４）の自由端部（４”）の間に架橋部（５’）によって取り付けられる歯の手入れをする道具。デンタルフロス（５）は環状延長部を有して、デンタルフロスフォーク（２）はガイド手段（６）を備えており、そこにデンタルフロス（５）がその環状延長部に沿ってそれを保持するために収容される。デンタルフロス（５）は、ガイド手段（６）内に摺動可能に取り付けられる。【選択図】図２
2020525255.tif 000002
【特許請求の範囲】
【請求項１】
歯の手入れをする道具であって：
−使用者によって握持されることができる取手（３）と、
−前記取手（３）の第１の共通端部（３’）からそれぞれの自由端部（４”）まで互いから間隔を置いて延在する２本のロッド（４）と；
−を備えるデンタルフロスフォーク（２）と：
−前記デンタルフロスフォーク（２）の２本の前記ロッド（４）の前記自由端部（４”）の間に架橋部（５’）によって取り付けられたデンタルフロス（５）とを備える歯の手入れをする道具において；
前記デンタルフロス（５）は、前記架橋部（５’）および相補的な区間（５”）からなる環状延長部を有し；前記デンタルフロスフォーク（２）は、その環状延長部に沿って前記デンタルフロス（５）を支持するために、前記デンタルフロス（５）が収容されるガイド手段（６）を備え；前記デンタルフロス（５）は、前記ガイド手段（６）内に摺動可能に取り付けられていることを特徴とする歯の手入れをする道具。  
【請求項２】
前記デンタルフロスフォーク（２）は、互いに平行でかつ直線の延在方向 (Y) に平行な前記ロッド (4) を備えて、前記直線の主方向 (Y) に沿って延在する平坦化された形態を有することを特徴とする、請求項１に記載の歯の手入れをする道具。
【請求項３】
前記デンタルフロス（２）用の前記ガイド手段（６）は、少なくとも１つの溝の形態をとり、そのうち、２つの第１の部分（６０）は、前記ロッド（４）の前記自由端（４”）の最端部に設けられており、第２の部分（６１）は、前記取手（３）の湾曲部に設けられていることを特徴とする、請求項１または２に記載の歯の手入れをする道具。
【請求項４】
前記デンタルフロス（２）は、前記デンタルフロスフォーク（２）の横たわる平面（Ｐ）に実質的に直交するその幅で環状に延在する平らな糸であることを特徴とする、請求項１〜３のうち一項または複数項に記載の歯の手入れをする道具。
【請求項５】
前記ガイド手段（６）は、周辺に延在し、前記デンタルフロスフォーク（２）を囲んでいる溝（６）の形態をとることを特徴とする、請求項１または２に記載の歯の手入れをする道具。
【請求項６】
前記２本のロッド（４）は、前記自由端部（４”）に向かって分岐している前記取手（３）の前記第１の共通端部（３’）から延在され；前記ガイド手段（６）は、前記デンタルフロスフォーク（２）の表面から突出して延在し、前記環状デンタルフロス（２）の２つの中心部分に接近するために、前記取手（３）によって区画された領域内に配置される少なくとも１つの第１のガイド要素（６２）、および前記デンタルフロスフォーク（２）の表面から同様に突出して延在し、前記ロッド（４）が延在する前記第１の末端部（３’）に対向して、前記取手（３）の第２の下端（３”）に配置される少なくとも１つの第２のガイド要素（６３）を備えることを特徴とする、請求項１に記載の歯の手入れをする道具。
【請求項７】
前記ロッド（４）が延在する前記第１の末端部（３’）に対向して、前記取手（３）の第２の端部（３”）に固定される車輪（７）を備え、前記デンタルフロス（２）は、前記車輪（７）自体の手動回転によって進ませるために、前記車輪（７）の下部（７’）に巻き付けられていることを特徴とする、請求項１に記載の歯の手入れをする道具。
【請求項８】
１つまたは複数の糸の短いセグメント部（９）を備え、その各々は、前記環状デンタルフロス（２）を前記ガイド手段（６）内で摺動させるために、前記環状デンタルフロス（２）に固定され、使用者の指の間で握持が可能であることを特徴とする、請求項１〜７のうち一項または複数項に記載の歯の手入れをする道具。
【請求項９】
前記２本のロッド（４）は、弾性的な柔軟性があり、前記環状デンタルフロス（２）の張力を緩めるために手動で接近させることが可能であり、摩擦を減少して前記ガイド手段（６）内における前記デンタルフロス（２）の摺動を可能にすることを特徴とする、請求項１〜８のうち一項または複数項に記載の歯の手入れをする道具。
【請求項１０】
前記環状デンタルフロス（２）を、前記デンタルフロスフォーク２の環状延長部に沿って移動するために、前記デンタルフロスフォーク２の前記ロッド４の前記自由端部（４”）の間の空間にて手で把持することが可能であることを特徴とする、請求項１〜９のうち一項または複数項に記載の歯の手入れをする道具。
【請求項１１】
前記環状デンタルフロス（２）は、同じ前記環状デンタルフロス（２）のその環状延長部におけるその対応する位置を確認するために、特に前記環状デンタルフロス（２）に着色したマークによって得られる少なくとも１つの識別マーク（２０）を備えていることを特徴とする、請求項１〜１０のうち一項または複数項に記載の歯の手入れをする道具。
【請求項１２】
前記環状デンタルフロス（２）上の識別マーク（２０）に対して接触部を定めるために、前記ロッド（４）に沿っておよび前記取手（３）の周端部に沿って等距離にある複数のマーク（８）を備えることを特徴とする、請求項１〜１１のうち一項または複数項に記載の歯の手入れをする道具。
【請求項１３】
前記環状デンタルフロス（２）に容易にアクセスできるようにするために、前記デンタルフロスフォーク（２）の前記取手（３）の周端部上に、前記環状デンタルフロス（２）によって横切られる少なくとも１つの横方向の空洞部（１０）を備えることを特徴とする、請求項１〜１２のうち一項または複数項に記載の歯の手入れをする道具。
【請求項１４】
前記デンタルフロス（２）は、接合されるか、結ばれるか、または、互いに接着されるその端部により環状に延在されることを特徴とする、請求項１〜１３のうち一項または複数項に記載の歯の手入れをする道具。
【請求項１５】
前記デンタルフロス（２）は、特にフラットタイプの前記デンタルフロス（２）は、０．０７〜０．０９ｍｍの厚さを有し、好ましくは約０．０８ｍｍの厚さであることを特徴とする、請求項１〜１４のうち一項または複数項に記載の歯の手入れをする道具。
【発明の詳細な説明】
【技術分野】
【０００１】
本発明は、独立請求項の前提部に記載の歯の手入れをする道具に関する。
【０００２】
本道具は、革新的なデンタルフロスフォークおよびデンタルフロスからなり、歯間の手入れのために、それ自体、全く従来通りに使用することを意図している。
【背景技術】
【０００３】
公知のように、デンタルフロスは、歯垢および歯間隙にある食物残渣を取り除くのに役立つ。この操作は、それを指に巻き付けられる糸によって実行する場合には不快で遅いが、糸をデンタルフロスフォークに装着させるタイプの歯の手入れをする道具によって実行する場合には困難ではない。
【０００４】
市販されている道具のフォークおよび糸は、その使用を人口のわずかな割合に制限する欠点および欠陥を有する。使い捨てタイプのフォークである歯の手入れをする道具は公知であり、それらはあまりにも小さいので、非常に使い勝手が悪く、全体的または部分的に互いに接触した歯によって構成される通常の歯並びに対してあまりに大きな糸を有する。このような公知タイプの道具の糸は、数本の歯の間にしか通すことができず、困難であり、不慣れな使用者にこの行為を断念させる不快感を与える。
【０００５】
大きなフォークを備えた歯の手入れをする道具も公知であり、それは使用するのが難しくなく、薄く平らな糸を取り付けることができ、それにもかかわらず、それは依然として歯の間に入れるのに苦労を要し、不快感（たとえ上記の場合よりもより少ない程度でも）を与えて、なおもこの行為を不快にし、したがってあまり一般的ではない。
【０００６】
したがって、歯の手入れをする上述の道具のこれらの薄く平らな糸は離間歯で使用されることが想定されており、勿論それによって不快感が生じることはない。また、公知タイプの上述の道具の欠点は、用いられる平らな糸が、それらが破損する前に約２〜３回（歯全体に対して）使用することができるため、頻繁な交換を必要とするという事実にある。
【０００７】
一般に、フォークおよびデンタルフロスによって形成された公知タイプの歯の手入れをする一般的な道具の重要な欠点は、各破損後に頻繁に糸を交換する必要があることであり、かなり退屈な作業である。
【発明の概要】
【発明が解決しようとする課題】
【０００８】
したがって、この状況において、本発明の根底にある問題は、糸が互いに近接した歯を通過させられるときでも使用者にとって快適である歯の手入れをする道具を提供することによって、公知タイプの解決策により明らかにされる欠点を克服することである。
【課題を解決するための手段】
【０００９】
本発明のさらなる目的は、使用が簡単で容易な歯の手入れをする道具を提供することにある。
【００１０】
本発明のさらなる目的は、迅速な方法（例えば約１分で）および特に効果的な方法で歯間の手入れが実行可能である歯の手入れをする道具を提供することにある。
【００１１】
本発明のさらなる目的は、作製が安価な歯の手入れをする道具を提供することにある。
【００１２】
本発明のさらなる目的は、ほとんどメンテナンスをする必要がない歯の手入れをする道具を提供することにある。
【００１３】
本発明のさらなる目的は、耐久性のすぐれた歯の手入れをする道具を提供することにある。
【００１４】
本発明の技術的特徴は、前述の目的によって、以下に報告される特許請求の範囲の内容において明確に見出すことができ、その利点は、本発明についてのいくつかの単に例示的かつ非限定的な実施形態を表す添付の図面を参照してなされる以下の詳細な説明においてより明白になるであろう。
【図面の簡単な説明】
【００１５】
【図１】第１の実施形態にしたがった本発明の目的である歯の手入れをする道具の平面図を示す。
【図２】図１に図示された本発明の目的である歯を手入れする道具の側面図を示す。
【図３】第２の実施形態にしたがった本発明の目的である歯の手入れをする道具の平面図を示す。
【図４】実施形態の変形例にしたがった図３からなる歯の手入れをする道具の平面図を示す。
【図５Ａ】フラットタイプであり、歯間表面にほぼ平行な位置で道具に設けられた直線ロッドによって支持される本発明の目的である歯の手入れをする道具のうち有利な実施形態のデンタルフロスを示す。
【図５Ｂ】歯間表面に対して斜めの位置で道具に設けられた傾斜ロッドによって支持される、公知タイプの歯の手入れをする道具のデンタルフロスを示す。
【発明を実施するための形態】
【００１６】
添付の図面を参照すると、参照番号１は、本発明の目的である歯の手入れをする道具を全体的に図示している。
【００１７】
これは、それ自体従来の方式で、第１の末端部３'と第２の端部３”との間に長手方向延長部を与えられた使用者によって握持可能な取手３、および、取手３の第１の端部３'から、その第１の拘束端部４'と共に延在され、したがって、取手３をそのそれぞれの自由端部４”まで共有する２本のロッド４を備えているデンタルフロスフォーク２を含む。ロッド４は、距離Ｄを得るために互いから間隔を置いて配置され、有利なことに、距離Ｄは、図１の実施形態によると、取手３の幅Ｌに等しくすることができ、図３および４の実施形態によると、取手３の幅Ｌより大きくすることができる。
【００１８】
歯の手入れ道具１は、デンタルフロスフォーク１のロッド４の自由端部４”と一体となっているデンタルフロス５も備え、その間に架橋部５'を定める。
【００１９】
本発明の基礎をなす概念によれば、デンタルフロス５は、前述の架橋部５’および残りの相補的部分５”からなる環状延長部を有する。さらに、デンタルフロスフォーク２はガイド手段６を備え、そこに、その環状延長部に沿ってデンタルフロス５自体を支持するために、デンタルフロス５を収容する。デンタルフロス５は、ガイド手段６内に摺動可能に取り付けられる。
【００２０】
言い換えれば、本装置１で用いられるデンタルフロスは完全にオリジナルであり、上述のように、糸が閉ループ、言い換えると伝動ベルトに似たものを形成するような方法で、環状延長部を有するか、または端部を欠いているか、または互いに拘束される端部を備え、その結果「環状の糸」を定めることができる。
【００２１】
このような目的のために、閉環２を形成するために、環状デンタルフロス５は、とぎれのないループ、または、互いに接合されるか、結ばれるか、もしくは接着される糸のセグメント部からなる端部を備えたループとして作製される。
【００２２】
このようにして、例えば、歯全体を手入れするためにデンタルフロス５を使用した後に、デンタルフロス５は単純な手動操作によって移動させられ、デンタルフロスフォーク２のガイド手段６内でその環状延長部に沿って摺動させられ、それゆえ、使い古した糸部分がロッド４の間に含まれる空間から遠ざかる。
【００２３】
これは、デンタルフロス５の長い継続使用を可能にし、公知タイプの歯の手入れをする道具のような、わずか２〜３回程度ではなく、デンタルフロス５を交換する前に、それを何十回も使用することができる。
【００２４】
環状の糸は、有利には、デンタルフロスフォーク２を囲むことが好ましい溝部６の形態をとるガイド手段に収容される。溝部６は、部分的であってもよく、すなわち、それは、ロッド４の自由端部４”、および取手３の湾曲部内に存在してもよく、ロッド４および取手３の外側に部分的にまたは完全になくともよい。
【００２５】
有利には、添付の図１〜４に示す実施形態によれば、デンタルフロスフォーク２は、平行なその２つの対面２’、２”、および実質的に横たわる面Ｐ上の延長部を備えた平坦化された形状を有する。
【００２６】
このような平らなデンタルフロスフォーク２は、ロッド４と共に直線の主方向Ｙに沿って延在され、ロッド４は、図１および２の第１の実施形態の場合には、前述の直線の延長方向Ｙに平行であるだけでなく互いに平行である。
【００２７】
道具１の使用が、デンタルフロスフォーク２のロッド４のまっすぐな直線形状によって容易になる。
【００２８】
有利なことに、この場合には、例えば溝部６は複数の溝部を用いて作製され、そのうち６０に示される２つの第１の部分がロッド４の自由端部４”に設けられ、６１に示される他の第２の部分が取手３の湾曲部に設けられる。
【００２９】
図３および４の実施形態によれば、２本のロッド４は、取手３の第１の末端部３’から延在され、それらの自由端４”に向かって分岐している。この場合には、前述のガイド手段６は、デンタルフロスフォーク２の一方の面から突出する少なくとも１つの中心にある第１のガイド要素６２を備え（例えば、このような第１のガイド要素は、２つの外部にある凸状対向要素によって得られる）、ガイド要素６２は取手３によって区画された領域内に配置され、ロッド４の自由端部間の距離Ｄに対して環状デンタルフロス５の２つの中央部分の接近をもたらし、第２のガイド要素６３もまた、デンタルフロスフォーク２の一方の面から突出し、ロッド４が延在する第１の端部３’に対向する取手３の第２の下端部３”に配置される（例えば、このような第２のガイド要素は外部にある凸状要素によって得られる）。
【００３０】
このようなガイド要素は、糸５をより良くガイドするために溝を備えることができる。さらに一般的にいえば、ガイド手段６は、１つまたは複数の溝部あるいは１つまたは複数のガイド要素を提供することができる。溝およびガイド要素を、 ― 共に組み立てる際に ― デンタルフロスフォーク２を形成する２つのシート状シェルを連結することによって得ることもできる。
【００３１】
ロッド４をまっすぐに備えたデンタルフロスフォーク２が有利であるとしても、いくつかの特定の場合には、（例えば、湾曲または傾斜ロッドを備えたフォークを製造する既存のインプラントを使用する場合）、実際には、傾斜ロッド４（図３および４）を備えた別形態を用いて、環状の糸が適切なガイド要素６２、６３を通過するようにさせることが好都合であり得る。
【００３２】
有利なことに、本発明の目的である歯の手入れをするための道具１は小さい車輪７も備え、小さい車輪７は取手３の第２の下端部３’’に固定され、ロッド４が延在する第１の末端部３’に対向する。
【００３３】
このような車輪７は、その下部７’で巻き付けられるデンタルフロス５の対応する部分を有する。操作において、車輪７を手動で回転させることによって、デンタルフロス５をその延長部に沿って前進させることが可能であり、したがって、２本のロッド４の間の使い古した部分を遠ざけ、新たな部分が前進する。
【００３４】
図４の変形体によれば、ガイド要素６３は、前述の小さい車輪７により置き換えられている。
【００３５】
好ましくは、環状デンタルフロス５は、少なくとも１つの識別マーク２０（より厚い部分を有する図２に一例として示される）を備えており、特に、その環状延長部においてその対応する位置を確認するために、糸に着色したマークによって得られる。有利には、環状デンタルフロス５上の前述の識別マークに対して接触部を定めるために、ロッド４および取手３の周端部に沿って、互いに等距離にある複数のマーク８を設けることができる。
【００３６】
好ましくは、本道具は１つまたは２つの糸のセグメント部９を備え、その各々は、環状デンタルフロス５をガイド手段６内で摺動させるために、環状デンタルフロスに固定され、利用者の指の間で握持が可能である。有利には、各糸のセグメント部９は、環状デンタルフロス５の摺動のための補助部だけでなく、糸５自体の識別マーク２０を定めるための補助部も構成することができる。
【００３７】
２本のロッド４は、弾性的な柔軟性があり、環状デンタルフロス５の張力を緩めるために、手動で接近させることが可能であり、ロッドが解放されて糸２が伸ばされる時に、その環の周囲の長さを拡大するのに対して、減少した摩擦によってガイド手段６内で同じデンタルフロス５の摺動を可能にする。
【００３８】
操作において、環状デンタルフロス５を、その環状延長部に沿って移動するために、デンタルフロスフォーク２のロッド４の端部間の空間にて手で把持することが可能である。
【００３９】
したがって、操作において、環状デンタルフロス５の移動を容易にするために、少なくとも１つの糸の短いセグメント部９がそれに拘束され、このような糸を指の間に保持し引っ張って、同時に他の手で、ロッド４の自由端４”をわずかに接近させ、糸の張力およびデンタルフロスフォーク２との摩擦を緩和するために、それらを共に押し近づけることが適切である。その代わりに、このような糸のセグメント部９がない場合には、ロッド４の間に備えたれた区間で指の間にそれを保持して、環状の糸２を移動させることができる。正しい距離だけ糸を前進させるために以下のことを観察することになる：糸の短いセグメント部９の位置、または、環として糸を形成するために糸の端部を連結する糸の接合位置、または、例えば着色されて、ロッド４および取手３の端部周囲の周方向にある一連の等距離のマーク８と共に周期的に配列される、糸自体に存在する識別マーク２０の位置。
【００４０】
デンタルフロス５は、有利なことに、平らな糸であり、デンタルフロスフォーク２が平坦化された形態を有する有利な場合には、上記デンタルフロスフォーク２の横たわる面Ｐと直交して実質的に配置されるその幅で環状に延在する。
【００４１】
図１および２の実施形態の場合には、デンタルフロス５がデンタルフロスフォーク２のガイド手段の溝部６に取り付けられるとき、デンタルフロス５はおおよそ矩形状の環状延長部を有する。このような実施形態によれば、溝部６は、デンタルフロスフォーク２を囲むように、または上述のように配置される周囲溝部分とともに、周辺に延在する。
【００４２】
平らな環状デンタルフロス５を使用する場合には、これは、有利なことに、一般的な平らな糸の幅より小さな幅を有する。厚さは、同等かあるいはさらに薄い。これによって、デンタルフロスが歯の間に侵入して、適度な抵抗で素早くそこから抜け出すことを可能にし、一般的な平らな糸に特有の不快感を取り除く。同じ結果を円形断面または別の形状を有する糸によって得ることはできるが、いずれにせよ、市販されている糸の断面よりも小さな糸の断面によってである。
【００４３】
わずかな間隔のある歯によって構成される歯並びについては、代わりに、より広いまたはより厚い糸を使用することが好都合である。
【００４４】
ロッドの湾曲したまたは斜めの形状は、実際には小さなフォークに必要であり、一方で、大きなフォークにとって、好ましくは本特許で請求されるような方法では、平らな糸５が歯間表面とほぼ平行であり、それゆえ、歯５１間の空間５０における糸５の挿入がより容易であるので（図５Ａで図示するように）、ロッドの直線形状を有することは有利である。一方で、湾曲または傾斜したロッドに関しては、平らな糸は同じ歯間表面に対して斜めであり（図５Ｂに図示するように）、したがって、歯５１間の空間５０内の挿入はそれほど容易でなく、糸５は、変形して、すり減り、破損する傾向がある。
【００４５】
直線状のロッド４の別の利点は、歯列弓のために片側からしか使用できずそのうえ他の歯列弓を処置するために回転させなければならない傾斜ロッドを備えたデンタルフロスフォークとは異なり、デンタルフロスフォーク２を両側から無差別に使用できることである。
【００４６】
本発明による道具１は、同じものに容易にアクセスするために、環状デンタルフロス５によって横断されるデンタルフロスフォーク２の取手３の周端部に配置された少なくとも１つの横方向の空洞部１０を備える。
【００４７】
より詳細には、フォークの取手３の周端部において、好ましくは−長い爪楊枝と類似した−道具を挿入するのに役立つ２つの小さい横方向の空洞部１０が得られ、それにより、わずかにねじれる可能性があるデンタルフロスがまっすぐになる。
【００４８】
デンタルフロス５は、長い爪楊枝に似た上述の道具または同様の道具をまた用いることによって、単純な操作でデンタルフロスフォーク２に装着され、それは通常約２分を要する。
【００４９】
幅が狭い（一般的な平らな糸に対して）平らな糸の使用によって、歯による適度な抵抗で、糸自体の挿抜が可能である。
【００５０】
最近の実験から、本質的な利点は、通常の幅であるが、より薄い厚さの糸を使用することによっても得られることが確認された。市販されているデンタルフロスは過度な厚さ（通常約０．１８ｍｍ）を有するため、歯（通常の歯並びの）の間へのデンタルフロスの挿入が不快であり、したがって、少数の人によってのみ定期的に使用される。有利には、本発明の目的である平らな環状デンタルフロス５は、それよりもより薄く、その結果、環状デンタルフロス５が歯間に入れるとき、それは適度な抵抗（したがって不快感を少なくする）を発生して、大部分の歯間表面上をかすめ通り／こするため、歯垢を除去する。デンタルフロスの厚さは、０．０７〜０．０９ｍｍであり、好ましくは約０．０８ｍｍである。平らなデンタルフロス５の場合、厚さはバンドの幅ではなく、バンドの深さを参照するように意図されなければならない。
【００５１】
前述のデンタルフロスの減少した厚さは、特に、ロッド４が互いに平行であり、デンタルフロスフォーク２の直線の主方向Ｙに合わせられる図１および２の実施形態との関連において、本発明の目的である道具の使用をより容易にする。
【図１】
2020525255.tif 000003
【図２】
2020525255.tif 000004
【図３】
2020525255.tif 000005
【図４】
2020525255.tif 000006
【図５Ａ】
2020525255.tif 000007
【図５Ｂ】
2020525255.tif 000008
【国際調査報告】
2020525255.tif 000009
2020525255.tif 000010
2020525255.tif 000011